(57)【要約】【課題】円盤状記録媒体を収納しない場合には収納部材を分解でき、在庫や運搬のスペースを小さくできるとともに、収納する円盤状記録媒体に容易に対応できる円盤状記録媒体の収納構造を提供する。【解決手段】内面側中央に支柱係合部２ａが設けられた二枚の枠体２の前記支柱係合部２ａに、支柱３が着脱自在に係合され、該支柱３には円盤状記録媒体４の孔部が挿通され、二枚の枠体２及び円盤状記録媒体４がシュリンクフィルム５で被包されていることを特徴とする円盤状記録媒体の収納構造である。【選択図】図１
2008013242.tif 000002
【特許請求の範囲】
【請求項１】
内面側中央に支柱係合部が設けられた二枚の枠体の前記支柱係合部に、支柱が着脱自在に係合され、該支柱には円盤状記録媒体の孔部が挿通され、二枚の枠体及び円盤状記録媒体がシュリンクフィルムで被包されていることを特徴とする円盤状記録媒体の収納構造。
【請求項２】
支柱が支柱係合部に圧入されていることを特徴とする請求項１に記載の円盤状記録媒体の収納構造。
【請求項３】
枠体の外周に円盤状記録媒体の取出孔が設けられていることを特徴とする請求項１又は請求項２に記載の円盤状記録媒体の収納構造。
【請求項４】
枠体の外表面にシュリンクフィルム掛止部が突設されていることを特徴とする請求項１乃至請求項３のいずれかに記載の円盤状記録媒体の収納構造。
【請求項５】
枠体に段積み用係止部が設けられていることを特徴とする請求項１乃至請求項４のいずれかに記載の円盤状記録媒体の収納構造。
【発明の詳細な説明】
【技術分野】
【０００１】
本発明はＣＤやＤＶＤ等の円盤状記録媒体を多数積層して収納するための円盤状記録媒体の収納構造に関し、更に詳しくは、該円盤状記録媒体を収納していない場合には、収納部材を分解して在庫や運搬のスペースを小さくできるとともに、収納する円盤状記録媒体の枚数に合わせて容易に対応できる円盤状記録媒体の収納構造に関するものである。
【背景技術】
【０００２】
従来より、ＣＤやＤＶＤ等の円盤状記録媒体を収納するためには、ボトムプレートの中心に支柱（スピンドル）を立設し、この支柱に円盤状記録媒体の孔部を挿通して、この円盤状記録媒体を多数積層し、その上からアウターケースを被せるスピンドルケースが使用されている。この種のスピンドルケースでは収納できる円盤状記録媒体の枚数があらかじめ規定され、この枚数に合わせて立設する支柱の長さが決定されている。
【０００３】
しかし、このスピンドルケースを使用して任意の枚数の円盤状記録媒体を収納しようとする場合、その枚数が規定された枚数より少なければ余分のスペースが発生する。この場合、収納された円盤状記録媒体は支柱にそって摺動し、ボトムプレートとの衝突や円盤状記録媒体同士の衝突により記録面を破損するおそれがる。また、規定の枚数より少ない円盤状記録媒体を保存、運搬する場合でも規定の枚数だけ保存、運搬するときと同じスペースが必要であるため、効率が悪い。
【０００４】
このような問題に対応するため、収納する円盤状記録媒体の枚数によって、サイズの異なる多種のスピンドルケースを準備し使い分けされている。しかしながら、この方法によれば確かに上記の欠点は解消されるが、収納枚数に応じた多種類のスピンドルケースを予め用意する必要が生じ、コストアップとなるばかりではなく、在庫や運搬に広大なスペースが必要となる。
また、円盤状記録媒体を収納していない場合であっても分解できないため嵩張り、在庫や運搬に大きなスペースを必要とし、在庫や運搬効率が悪いという問題がある。
【０００５】
これらの問題を解決し、一つのケースで任意の枚数の円盤状記録媒体を収納するため、ディスクの孔部を貫通する支持棒を上面の中央部から上方に延出させたボトムプレートと、該ボトムプレートの上面を開閉自在に被覆する中空のアウターケースと、を備え、前記支持棒の外径が、前記ディスクの孔部に遊嵌する第１の径と、前記ディスクの孔部の周縁部に圧接する第２の径と、に選択的に変化することを特徴とするスピンドルケースが提案されている（特許文献１）。
【０００６】
また、上面に積載して収納すべきディスクの孔部を貫通する支持棒を上面の中央部から上方に延出させたボトムプレートと、該ボトムプレートの上面を開閉自在に被覆する中空のアウターケースと、を備え、前記ボトムプレートの上面に積載して収納されたディスクの外周面に配置された保持部材であって、前記ボトムプレートの上面に平行な面内における前記支持棒の周面までの距離が前記ディスクの半径と前記孔部の半径の差よりも長い退避位置と略等しい当接位置との間に変位自在にされた保持部材を設けたことを特徴とするスピンドルケースが提案されている（特許文献２）。
【０００７】
また。上面に積載して収納すべきディスクの孔部を貫通する支持棒を上面の中央部から上方に延出させたボトムプレートと、該ボトムプレートの上面を開閉自在に被覆する中空のアウターケースと、を備え、前記支持棒における上下方向の任意の位置に選択可能に固定され、平面視において前記ディスクの孔部よりも大きい形状の固定部材を設けたことを特徴とするスピンドルケースが提案されている（特許文献３）。
【０００８】
これらのスピンドルケースによると、確かに、収納された円盤状記録媒体が支柱にそって摺動してボトムプレートとの衝突や円盤状記録媒体同士が衝突することによる記録面の破損は防止でき、かつ多種類のスピンドルケースを用意する必要はない。
しかしながら、規定の枚数より少ない円盤状記録媒体を保存、運搬する場合の効率の悪さは依然として改善されていない。また、円盤状記録媒体を収納していない場合の嵩張り、及びこれに因る在庫や運搬効率の悪さも何ら改善されていない。
【特許文献１】特開２００６−３６３６１号公報
【特許文献２】特開２００６−１６３５号公報
【特許文献３】特開２００６−１６３４号公報
【発明の開示】
【発明が解決しようとする課題】
【０００９】
本発明は、かかる実情に鑑み、円盤状記録媒体を収納していない場合には、収納部材を分解して在庫や運搬スペースを小さくして、在庫や運搬効率を高めるとともに、収納する円盤状記録媒体の枚数に合わせて支柱の高さを変えるだけで容易に対応でき、従って在庫や運搬効率を大幅に高めることができる円盤状記録媒体の収納構造を提供するものである。
【課題を解決するための手段】
【００１０】
上記課題を解決するための請求項１に係る本発明は、内面側中央に支柱係合部が設けられた二枚の枠体の前記支柱係合部に、支柱が着脱自在に係合され、該支柱には円盤状記録媒体の孔部が挿通され、二枚の枠体及び円盤状記録媒体がシュリンクフィルムで被包されていることを特徴とする円盤状記録媒体の収納構造を内容とする。
【００１１】
請求項２に係る発明は、支柱が支柱係合部に圧入されていることを特徴とする請求項１に記載の円盤状記録媒体の収納構造を内容とする。
【００１２】
請求項３に係る発明は、枠体の外周に円盤状記録媒体の取出孔が設けられていることを特徴とする請求項１又は請求項２に記載の円盤状記録媒体の収納構造を内容とする。
【００１３】
請求項４に係る発明は、枠体の外表面にシュリンクフィルム掛止部が突設されていることを特徴とする請求項１乃至請求項３のいずれかに記載の円盤状記録媒体の収納構造を内容とする。
【００１４】
請求項５に係る発明は、枠体に段積み用係止部が設けられていることを特徴とする請求項１乃至請求項４のいずれかに記載の円盤状記録媒体の収納構造を内容とする。
【発明の効果】
【００１５】
本発明の円盤状記録媒体の収納構造は、同種の枠体を二枚用い、その間に着脱自在に係合された支柱に円盤状記録媒体を挿通し、これをシュリンクフィルムで被包するものであるから、該円盤状記録媒体を収納していない際には、枠体と支柱との係合を解き、分解することにより嵩張りが大幅に小さくなり、在庫や運搬のスペースも小さくなり、在庫や運搬の効率が顕著に向上する。
【００１６】
また、収納する円盤状記録媒体の枚数が多い場合には支柱を長くし、逆に枚数が少ない場合には支柱を短くすればよく、例えば３０枚、５０枚、１００枚と三種の枚数に対応するには長さの異なる三種の支柱だけを準備すればよいから、従来のスピンドルケースのように大きなスペースを占めるケースを三種準備する場合に比べ、大幅な省スペースが実現される。
【００１７】
更にいえば、この発明で使用する支柱は通常のパイプ部材で十分であり、必要に応じて適当な長さに切断して使用することができるため、任意の枚数の円盤状記録媒体を収納する場合でも、予め長さの異なる支柱を準備しておく必要がなく、在庫や運搬効率が更に高められ、在庫管理が容易になる。
【００１８】
請求項２に係る発明の円盤状記録媒体の収納構造は、支柱が支柱係合部に圧入されているため、支柱と支柱係合部は強固に結合し、収納作業中や取り扱い、運搬時に枠体が支柱から不用意に外れることがなく、安全かつ容易に円盤状記録媒体を収納できる。
【００１９】
請求項３に係る発明の円盤状記録媒体の収納構造は枠体の外周に円盤状記録媒体の取出孔が設けられているため、この取出孔から指を差し入れて円盤状記録媒体を持ち上げ、容易に枠体から取り出すことができる。
【００２０】
請求項４に係る発明の円盤状記録媒体の収納構造は、枠体の外表面にシュリンクフィルム掛止部が突設されているため、シュリンクフィルムがこのシュリンクフィルム掛止部に掛合され、取り扱い中や運搬中においても不用意に枠体から外れることがなく、確実かつ安全に円盤状記録媒体を収納できる。
【００２１】
請求項５に係る発明の円盤状記録媒体の収納構造は、枠体に段積み用係止部が設けられているため、段積み時に上段の収納構造がずれたり滑り落ちたりするというトラブルが防止され、段ボール箱への収容時や保管時の積み重ねが容易となる。
【発明を実施するための最良の形態】
【００２２】
本発明の円盤状記録媒体の収納構造は、内面側中央に支柱係合部が設けられた二枚の枠体の前記支柱係合部に、支柱が着脱自在に係合され、該支柱には円盤状記録媒体の孔部が挿通され、二枚の枠体及び円盤状記録媒体がシュリンクフィルムで被包されていることを特徴とする。
【００２３】
本発明における枠体の形状は特に限定されないが、収納される円盤状記録媒体に近い形状のものが好ましく、例えば円形のほか、六角形、八角形等の多角形のものが挙げられる。
【００２４】
枠体の材質としては、金属製、プラスチック製、木製等、一定以上の剛性を有する素材であれば何でも使用可能であるが、軽量化、成形性の面からはプラスチック製が最も好ましい。具体的には、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が例示できる。
【００２５】
枠体の外面側には枠体を補強するための補強用リブを設けることもできる。この補強リブを設けることにより枠体の厚みを小さくでき、軽量化できるばかりでなく、材料の使用量も少なくできるので経済的である。
【００２６】
枠体の内面側中央には、支柱係合部が設けられる。支柱係合部は、例えば係合される支柱が円筒状の場合は、該円筒に内嵌するよう凸状にに設けられ、また支柱が柱状（中実の）の場合には、該柱状を外嵌するように、凹状に設けられる。
【００２７】
枠体には、枠体近辺の円盤状記録媒体を取り出しやすくするために、取出孔を設けるのが好ましい。このような取出孔は枠体の外周に設けられ、指を差し入れることができる程度の大きさのものであればよい。このような取出孔は少なくとも１個設けられるが複数個設けると任意の取出孔より円盤状記録媒体を取り出せるので好都合である。
【００２８】
枠体には、外表面にシュリンクフィルム掛止部を突設するのが好ましい。シュリンクフィルムはこの掛止部に掛止され取り扱い中や運搬中にずれたりすることが防止される。シュリンクフィルム掛止部は枠体の全周に渡って設けてもよく、または部分的に設けてもよい。
【００２９】
枠体には、更に段積み用係止部を設けるのが好ましい。段積み用係止部を設けることにより、段積み時に上段の収納構造がずれたり滑り落ちたりするというトラブルが防止され、段ボール箱への収容作業や保管の際の積み重ねが容易となる。
【００３０】
枠体は二枚とも同一の形状であるのが好ましく、このようにすることにより製造が容易となり、コストダウンが図られるばかりではなく、在庫管理が容易となる。
【００３１】
本発明における支柱は、これに挿通させる円盤状記録媒体の孔部が通常円形であるので、断面が円形のものが好ましい。
支柱の材質としては特に限定されないが、枠体の材質と同様プラスチック等が例示できる。
【００３２】
支柱は上記枠体の支柱係合部に着脱自在に係合される。従って、少なくとも支柱の係合する先端部は上記したように支柱係合部の形状により、例えば支柱係合部が凸状であればこれに外嵌するように凹状とし、また凹状であれば凸状とする。従って支柱は円筒体または円柱体が好ましく、特に軽量化できる点で円筒体が好ましい。
【００３３】
支柱は、枠体の支柱係合部に圧入されるのが好ましい。このように圧入することにより、支柱が支柱係合部にしっかりと係合され、該支柱に円盤状記録媒体を挿通させたり、シュリンクフィルムで被包する作業が容易となり、また、ぐらつきのない安定した収納構造を得ることができる。
【００３４】
圧入は、例えば、支柱係合部の凸部又は支柱の凸部の内部に小間隙を設けて複数の凸部片とし、一方、これと嵌合する支柱係合部の凹部または支柱の凹部を前記支柱係合部の凸部又は支柱の凸部の径よりも小さ目として、前記凸部片を内部に収縮変形させながら凹部に挿入することにより容易に可能である。
挿入された凸部片は、弾性による復元力、弾発力により元の状態に戻ろうと伸張し、凹部内面を弾圧するので強固に結合されることになる。
また、１〜２条のネジを切り、支柱と支柱係合部とを螺合することもできる。
【００３５】
支柱は収納する円盤状記録媒体の枚数に合わせて長さが決定される。例えば、１００枚、５０枚、３０枚と三種の収納枚数に適用するには、長短異なる長さの支柱を三種準備すればよい。
更に、必要に応じ、長めの支柱を準備し、収納枚数に合わせて切断し、所定の長さの支柱とすることもできる。この場合は、支柱に適宜間隔をおいて切れ目を入れておき、ナイフ等の切断具なしで切断できるようにすることもできる。
【００３６】
本発明の収納構造は、通常、一の枠体の支柱係合部に支柱の一端が着脱自在に係合され、該支柱に円盤状記録媒体の孔部が挿通され、支柱の他端が他の枠体の支柱係合部に着脱自在に係合され、さらに全体がシュリンクフィルムで被包される。シュリンクフィルムとしては、特に制限はなく、例えばポリ塩化ビニル、ポリプロピレン、ポリエチレン等の他、ポリ乳酸等からなる生分解性シュリンクフィルムが例示される。
【００３７】
以上の如き本発明の円盤状記録媒体の収納構造は、枠体と支柱とが着脱自在に係合されてなるので、例えば使用前（記録媒体の収納前）又は使用後（記録媒体を取り出した後）は枠体と支柱との係合を解いて分解することができる。従って、嵩張ることがなく取り扱いが容易であるのみならず、在庫や運搬にも広いスペースを必要とせず、従来品の如くケースそのものを在庫、運搬する場合に比べると、数分の一のスペースでよい。
【００３８】
また、長さの異なる支柱のみを準備することにより、所定の枚数の円盤状記録媒体を収納することができるので、在庫や運搬に広いスペースを必要とすることなく、収納枚数に容易に対応することが可能である。
【００３９】
更に、円盤状記録媒体の収納枚数が少ないために、該記録媒体が揺動して破損する虞れがあるような場合には、支柱を適当な長さに切断して上記問題を解決することもできる。
【００４０】
以下、本発明の円盤状記録媒体の収納構造を、実施例を示す図面に基づいて説明するが、本発明はにかかる実施例のみに限定されないことは言うまでもない。
【００４１】
実施例１
図１は本発明の円盤状記録媒体の収納構造の概略断面図、図２は枠体の平面図、図３はその底面図、図４はそのＡ−Ａ線断面図であり、枠体に支柱を係合し該支柱に円盤状記録媒体を挿通する状態を示す概略図である。
【００４２】
本実施例の円盤状記録媒体の収納構造１は、図１に示すように、内面側中央に支柱係合部２ａが設けられた二枚の枠体２の前記支柱係合部２ａに支柱３が着脱自在に係合され、該支柱３には円盤状記録媒体４の孔部が挿通され、これらがシュリンクフィルム５で被包されている。
【００４３】
枠体２は、図２乃至図４に示すように、円盤状からなり、その内面側中央部に支柱３を取り付けるための支柱係合部２ａ及びその外側に円盤状記録媒体４の支持部２ｂが設けられ、外面側には同心円状及び放射状に補強リブ２ｃが設けられている。外周の補強リブ２ｃは内面側にも延設されており、枠体近辺に収納された円盤状記録媒体４を保護する役割も果たすもので、一方、外面側の補強リブ２ｃは同時にシュリンクフィルム掛止部２ｄの役割も果たすものである。
【００４４】
図１、図４に示すように、下部の枠体２の支柱結合部２ａに円筒体からなる支柱３の一端を挿入し、該支柱３に所定枚数の円盤状記録媒体４の孔部を挿通し、支柱３の他端を上部の枠体２の支柱係合部２ａに挿入し、シュリンクフィルム５で被包して本発明の収納構造とされる。
【００４５】
本実施例では、上記したように、シュリンクフィルム５は枠体２の外周外面側の補強リブ２ｃがシュリンクフィルム掛止部２ｄとしての役割を果たし、取り扱い中や運搬中にシュリンクフィルム５が不用意にずれたりするトラブルが防止される。
【００４６】
上記円盤状記録媒体の収納構造１は、シュリンクフィルム５を取り去って円盤状記録媒体４を取り出した後は支柱３を枠体２の支柱係合部２ａから引き抜き、枠体２と支柱３とが分解された状態で運搬や保管される。従って、運搬や保管に大きなスペースを必要としないので、運搬や保管効率が高められる。
なお、図１において、円盤状記録媒体支持部２ｂと円盤状記録媒体４との間には記録媒体の保護のために支持部２ｂと略同サイズのクッション材（ポリウレタン等）が介装される場合があるが省略されている。
【００４７】
実施例２
本実施例の円盤状記録媒体の収納構造１は、図５〜図７に示すように、支柱３が支柱結合部２ａに圧入されている他は実施例１と同様である。
【００４８】
即ち、図５（ａ）、（ｂ）は支柱係合部２ａを小間隙を介した複数（図では４個）の凸状片とし、さらに該凸状片の上端外周部には外側に斜降するテーパ部２ｅが設けられている。
【００４９】
かくして、図５（ｂ）に示すように、支柱係合部２ａよりも小さ目の径の円筒状の支柱３をテーパ部２ｅに沿って押圧することにより、凸状片は矢示した如く弾性により小間隙の方に変形し、その分だけ収縮するので、支柱３を支柱係合部２ａに圧入することができ、一旦圧入すると収縮した凸状片は元の状態に戻ろうと伸張して支柱内面を押圧するので支柱３は支柱係合部２ａに強固に結合され不用意に外れる事がない。
【００５０】
図６は、支柱係合部２ａを小間隙を介した２個の凸状片とした他は図５の場合と同様である。この場合は、凸状片は内側の小間隙の方に変形するばかりではなく、凸状片の長さ方向にも撓み変形する。
【００５１】
図７は支柱係合部２ａをプラス（＋）状の凸状片で構成した例である。この場合はプラス状の凸状片が長手方向に撓み、変形することにより縮径して、支柱３を圧入させ、一旦圧入した後は、凸状片が元の状態に戻ろうと伸張して支柱内面を押圧し、支柱３が不用意に外れることを防止する。
【００５２】
実施例３
本実施例の円盤状記録媒体の収納構造１は、図８に示す如く、枠体２の外周に円盤状記録媒体４の取出孔２ｆが設けられている他は実施例１と同様である。
このように取出孔２ｆを設けることにより、枠体２近辺の円盤状記録媒体４を取り出す場合に該取出孔２ｆに指を差し入れて該記録媒体４を容易に取り出すことができる。      
【００５３】
実施例４
本実施例の円盤状記録媒体の収納構造１は図９、図１０に示すように、枠体２の支柱係合部２ａに代えて実施例２の支柱結合部２ａ（図５（ａ）、（ｂ））を採用し、外周に円盤状記録媒体４の取出孔２ｆを４個設け（図９）、更に、外表面に段積み用係止部２ｇ及びバランス用脚部２ｈを設けた（図１０）他は実施例１と同様である。
【００５４】
即ち、本実施例においては、段積み用係止部２ｇは、枠体２の外表面を略４等分し、対向する２つの領域であってシュリンクフィルム掛止部２ｄより幅ｗだけ内側に略扇形台状に設けられており、またバランス用脚部２ｈは他の対向する２つの領域、即ち段積み用係止部２ｇが設けられていない領域であって、上記幅ｗに相当する弧状領域２ｉ内に設けられている。
【００５５】
図１０に示すように、上記枠体２を下部の収納構造１の上部枠体２とし、この上に段積みした上部の収納構造１の下部枠体２の段積み用係止部２ｇとバランス用脚部２ｈを破線で示したが、一方の段積み用係止部２ｇは他方の段積み用係止部２ｇが存在しない領域に、また一方のバランス用脚部２ｈは他方の幅ｗの弧状領域２ｉ内に嵌合した形状となり、上部の収納構造１が下部の収納構造１からずれたり滑り落ちたりするトラブルが防止される。
【００５６】
また、バランス用脚部２ｈは文字通り収納構造をバランス良く保つためのものである。例えば、本実施例の収納構造物を平面状のテーブル上に置いた場合、バランス用脚部２ｈが存在しない場合は４等分した領域の対向する２つの領域のみにシュリンクフィルム掛止部２ｄと段積み用係止部２ｇが突設されているためにバランスが悪く、これらが存在しない領域は窪んだ状態になるため、この方向にがたつく虞れがあるが、バランス用脚部２ｈにより、このようながたつきが防止される。
【００５７】
なお、上記段積み用係止部２ｇもバランス用脚部２ｈも補強リブとしても機能することはいうまでもない。また、シュリンクフィルム５はバランス用脚部２ｈの内側寄りまで被包することも可能で、この場合シュリンクフィルム掛止部２ｄとともにこのバランス用脚部２ｈもシュリンクフィルム掛止部の役割をも果たすものである。
【００５８】
実施例５
本実施例の円盤状記録媒体の収納構造１は、図１１に示すように、支柱３の長さを約２倍とし、円盤状記録媒体４の収納枚数を２倍とした他は実施例１と同様である。
このように、本発明の円盤状記録媒体の収納構造によれば、支柱３の長さを変えるだけで円盤状記録媒体４の収納枚数に自在に対応することができる。
【００５９】
上記実施例では、枠体が上下に位置する収納構造について説明したが、枠体が左右に位置する収納構造としてもよいことは勿論である。円盤状記録媒体の収納作業の容易さからは枠体を上下に位置する収納構造の方が好ましい。
【産業上の利用可能性】
【００６０】
上記したとおり、本発明の円盤状記録媒体の収納構造によれば、円盤状記録媒体を収納していない場合は収納部材を分解できるため、在庫や運搬のスペースを大幅に小さくすることができる。
また、支柱の長さを変えるだけで任意の枚数の円盤状記録媒体を収納することができるので、従来のスピンドルケースのように、ケース自体の大きさを変える場合に比べて簡単であり、また、予め収納枚数に応じて複数種類を準備する場合においても、ケース自体と支柱とでは、支柱のほうが在庫や運搬のスペースは格段に小さくなり、保管や運搬効率は飛躍的に高められる。
【図面の簡単な説明】
【００６１】
【図１】実施例１の円盤状記録媒体の収納構造の概略断面図である。
【図２】実施例１における枠体の平面図である。
【図３】実施例１における枠体の底面図である。
【図４】実施例１における枠体のＡ−Ａ線断面図である。
【図５】実施例２の円盤状記録媒体の収納構造の要部概略図である。（ａ）は平面図、（ｂ）はＢ−Ｂ断面図である。
【図６】実施例２の変更例を示す概略図である。
【図７】実施例２の変更例を示す概略図である。
【図８】実施例３における円盤状記録媒体の収納構造の要部断面図である。
【図９】実施例４における収納構造の枠体の平面図である。
【図１０】実施例４における収納構造の枠体の底面図である。
【図１１】実施例５の円盤状記録媒体の収納構造の概略断面図である。
【符号の説明】
【００６２】
１    円盤状記録媒体の収納構造
２    枠体
２ａ  支柱係合部
２ｂ  円盤状記録媒体支持部
２ｃ  補強用リブ
２ｄ  シュリンクフィルム掛止部
２ｅ  テーパ部
２ｆ  円盤状記録媒体の取出孔
２ｇ  段積み用係止部
２ｈ  バランス用脚部
２ｉ  弧状領域
３    支柱
４    円盤状記録媒体
５    シュリンクフィルム
【図１】
2008013242.tif 000003
【図２】
2008013242.tif 000004
【図３】
2008013242.tif 000005
【図４】
2008013242.tif 000006
【図５】
2008013242.tif 000007
【図６】
2008013242.tif 000008
【図７】
2008013242.tif 000009
【図８】
2008013242.tif 000010
【図９】
2008013242.tif 000011
【図１０】
2008013242.tif 000012
【図１１】
2008013242.tif 000013